(57)【特許請求の範囲】
【請求項１】
ＣＥ装置であって、
ネットワークインターフェイス（３０）と、
ディスプレイ（１８）及びスピーカ（２０）を制御し、前記ネットワークインターフェイス（３０）を介してインターネットと通信するプロセッサ（１６）と、
を備え、前記プロセッサ（１６）が、
前記ディスプレイ（１８）上に提示されたユーザインターフェイス（ＵＩ）を介してユーザ設定及び／又はキーワードを受け取ること（４４）と、
前記ネットワークインターフェイス（３０）を介して１又はそれ以上のコンテンツサーバ（３４）と定期的に通信して、オーディオビデオコンテンツの番組メタデータを取得すること（４６）と、
前記設定／キーワードを使用して、前記コンテンツサーバ（３４）から受け取った前記番組メタデータを検索すること（４８）と、
インターネット供給コンテンツの１つのメタデータと前記設定／キーワードとの間に一致が存在するとの判定（５０）に応答して、一致を示す視覚アラートを前記ディスプレイ（１８）上に提示し（５２）、及び／又は可聴アラートを前記スピーカ（２０）上に提示して、前記設定及び／又はキーワードに一致する新たなコンテンツを前記ＣＥ装置上での再生に利用できる旨をユーザに示すことと、
前記ユーザが定めた満了期間の経過時に前記最新のリスト上のエントリを削除すること（５６）と、
を含むロジックを実行する、
ことを特徴とするＣＥ装置。
【請求項２】
前記ロジックが、インターネット供給コンテンツの１つの前記メタデータと前記設定／キーワードとの間に一致が存在するとの判定（５０）に応答して、一致することが判明した番組名を「最新のアラート」リスト（４２）上に追加し、前記最新のアラートリストを、その呼び出し時に前記ディスプレイ（１８）上に提示する、
ことを特徴とする請求項１に記載のＣＥ装置。
【請求項３】
前記ロジックが、削除のためのユーザコマンド時に前記最新のリスト上のエントリを削除すること（５６）をさらに含む、
ことを特徴とする請求項１に記載のＣＥ装置。
【請求項４】
前記ロジックが、再生のためにエントリがリストから選択された時に前記最新のリスト上の前記エントリを削除すること（５６）をさらに含む、
ことを特徴とする請求項１に記載の装置。
【請求項５】
前記ロジックが、前記メタデータにアクセスするために前記コンテンツサーバ（３４）との通信を開始することをさらに含む、
ことを特徴とする請求項１に記載の装置。
【請求項６】
前記ロジックが、前記コンテンツを利用可能に更新したコンテンツサーバ（３４）が前記ＣＥ装置に新たなメタデータを通信するまで待機することをさらに含む、
ことを特徴とする請求項１に記載のＣＥ装置。
【請求項７】
前記ロジックが、前記コンテンツサーバ（３４）に設定／キーワードを提供し、前記コンテンツサーバ（３４）が検索及び照合ロジックを実行してその通知を前記ＣＥ装置に戻すことをさらに含む、
ことを特徴とする請求項１に記載のＣＥ装置。
【請求項８】
装置であって、
ネットワークインターフェイス（３０）と、
ディスプレイ（１８）及びスピーカ（２０）を制御し、前記ネットワークインターフェイス（３０）を介してインターネットと通信するプロセッサ（１６）と、
を備え、
前記プロセッサ（１６）が、
前記ディスプレイ（１８）上にユーザ設定及び／又はキーワード入力ユーザインターフェイス（ＵＩ）（３８）を提示するためのロジックを実行し、
前記ユーザ設定及び／又はキーワードの入力時には利用可能でなかった、前記ユーザ設定及び／又はキーワードを満たすコンテンツがインターネットサーバ（３２／３４）において利用可能になったとの判定（５０）に応答して、前記ディスプレイ（１８）上にコンテンツの利用可能性を示すアラートアイコンを提示し（５２）、
前記ディスプレイ（１８）上に提示する前記コンテンツを選択するために使用できる最新のアラートＵＩの呼び出しに応答して、前記コンテンツの名前を最新のリスト内にリストするＵＩを前記ディスプレイ（１８）上に提示し、
前記ロジックが、
前記ネットワークインターフェイス（３０）を介して１又はそれ以上のコンテンツサーバ（３４）と定期的に通信して、オーディオビデオコンテンツの番組メタデータを取得し（４６）、
前記設定／キーワードを使用して、前記コンテンツサーバ（３４）から受け取った前記番組メタデータを検索し（４８）、
インターネット供給コンテンツの１つのメタデータと前記設定／キーワードとの間に一致が存在するとの判定（５０）に応答して、一致を示す視覚アラートを前記ディスプレイ（１８）上に提示し（５２）、可聴アラートを前記スピーカ（２０）上に提示して、前記設定及び／又はキーワードに一致する新たなコンテンツを前記装置上での再生に利用できる旨をユーザに示し、
前記ユーザが定めた満了期間の経過時に前記最新のリスト上のエントリを削除する（５６）よう構成されていることを特徴とする装置。
【請求項９】
前記ロジックが、削除のためのユーザコマンド時に前記最新のリスト上のエントリを削除すること（５６）をさらに含む、
ことを特徴とする請求項８に記載の装置。
【請求項１０】
前記ロジックが、再生のためにエントリがリストから選択された時に前記最新のリスト上の前記エントリを削除すること（５６）をさらに含む、
ことを特徴とする請求項８に記載の装置。
【請求項１１】
前記ロジックが、前記メタデータにアクセスするために前記コンテンツサーバ（３４）との通信を開始することをさらに含む、
ことを特徴とする請求項８に記載の装置。
【請求項１２】
前記ロジックが、前記コンテンツを利用可能に更新したコンテンツサーバ（３４）が前記装置に新たなメタデータを通信するまで待機することをさらに含む、
ことを特徴とする請求項８に記載の装置。
【請求項１３】
方法であって、
インターネットサーバが、インターネット対応ＣＥ装置のユーザから所望のインターネット供給番組を記述する検索語を受け取るステップ（４４）と、
インターネットサーバが、少なくとも１つのインターネットソース（３４）をモニタして（４６／４８）、前記所望の番組が利用可能であるかを検出するステップと、
インターネットサーバが、所望の番組が検出されたとの判定（５０）に応答して、前記ＣＥ装置の画面（１８）上にアラートを提示するのに有用な、前記検出されたことを表す信号を生成する（５２）ステップと、
前記ＣＥ装置が、前記アラートの選択に応答して、前記画面上に最新のアラートユーザインターフェイス（ＵＩ）を提示するステップと、
前記ＣＥ装置が、前記最新のアラートＵＩ上のエントリの選択に応答して、前記エントリの基礎を成すコンテンツを前記ＣＥ装置上で取得するステップと、
ＣＥ装置が、ユーザが定めた満了期間の経過時に、前記エントリを削除する（５６）ステップと、
を含むことを特徴とする方法。
【請求項１４】
前記ＣＥ装置が、ネットワークインターフェイス（３０）を介して１又はそれ以上のコンテンツサーバ（３４）と定期的に通信して、オーディオビデオコンテンツの番組メタデータを取得する（４６）ステップと、
前記ＣＥ装置が、ユーザが入力した設定及び／又は前記所望のネットワーク供給番組を記述するキーワードを使用して、前記コンテンツサーバ（３４）から受け取った前記番組メタデータを検索する（４８）ステップと、
をさらに含むことを特徴とする請求項１３に記載の方法。
【請求項１５】
前記ＣＥ装置が、再生のためにエントリが選択された時に、前記エントリを削除する（５６）ステップを含むことを特徴とする請求項１３に記載の方法。
【請求項１６】
ＣＥ装置により実行される方法であって、
インターネット対応ＣＥ装置のユーザから所望のインターネット供給番組を記述する検索語を受け取るステップ（４４）と、
少なくとも１つのインターネットソース（３４）をモニタして（４６／４８）、前記所望の番組が利用可能であるかを検出するステップと、
所望の番組が検出されたとの判定（５０）に応答して、前記ＣＥ装置の画面（１８）上にアラートを提示するのに有用な、前記検出されたことを表す信号を生成する（５２）ステップと、
前記アラートの選択に応答して、前記画面上に最新のアラートユーザインターフェイス（ＵＩ）を提示するステップと、
前記最新のアラートＵＩ上のエントリの選択に応答して、前記エントリの基礎を成すコンテンツを前記ＣＥ装置上で取得するステップと、
ユーザが定めた満了期間の経過時に、前記エントリを削除する（５６）ステップと、
を含むことを特徴とする方法。
【請求項１７】
ネットワークインターフェイス（３０）を介して１又はそれ以上のコンテンツサーバ（３４）と定期的に通信して、オーディオビデオコンテンツの番組メタデータを取得する（４６）ステップと、
ユーザが入力した設定及び／又は前記所望のネットワーク供給番組を記述するキーワードを使用して、前記コンテンツサーバ（３４）から受け取った前記番組メタデータを検索する（４８）ステップと、
をさらに含むことを特徴とする請求項１６に記載の方法。
【請求項１８】
再生のためにエントリが選択された時に、前記エントリを削除する（５６）ステップを含む、
ことを特徴とする請求項１６に記載の方法。
【発明の詳細な説明】
【技術分野】
【０００１】
本出願は、一般にインターネット対応ＴＶのユーザに、所望のインターネットコンテンツが利用可能になった時に報知することに関する。
【背景技術】
【０００２】
通常、ＴＶを通じたインターネットアクセスは、基本的にブラウザを実行するコンピュータであるかのようにＴＶをプログラムすることによって可能になる。従って、このようなインターネットアクセスは、ファイアウォール又はフィルタリングプログラムが特定のサイトをブロックできる場合を除いて規制されていない。
【０００３】
本明細書で理解されるように、ＴＶとの関連においては、規制のないインターネットアクセスは望ましくないことがある。ＴＶには、ファイアウォール又はフィルタリングプログラムを常にインストールできるとは限らず、たとえ一方がインストールされていても、アクセスは、従来のＴＶのプログラミングが以前から予想していたよりもはるかに規制されないままとなっている。また、ローカルにインストールされたフィルタは、ユーザによってアンロード又は無効化されることもある。
【発明の概要】
【発明が解決しようとする課題】
【０００４】
従って、規制のないインターネットアクセスには、いくつかの欠点がある。視聴者の立場からすれば、特に若い視聴者が見ている時に不適切な題材が表示されることと、放映の質の閾値がかなり低いことは別の問題である。すなわち、「上質の」番組であると広く認めることができないテレビ番組は多いが、それでもなお、通常ＴＶ番組は、例えばインターネットビデオよりも相当選択的に放映されている。この結果、ＴＶを通じた自由なインターネットアクセスを提供することにより、このような質の高い放映を求めるＴＶ視聴者の期待が満たされることはあり得ない。さらに、ほとんどの場合、ＴＶをインターネットにまで拡張することにより、コンテンツプロバイダ、メーカー及び通信事業者からのＴＶ関連団体が利益を得ることはない。
【０００５】
本明細書でさらに認識するように、たとえ構造化され規制されたインターネットプロトコルＴＶ（ＩＰＴＶ）システムにおいても、インターネットコンテンツは絶えず変化し、増大することもある。しかしながら、テレビで放映されるコンテンツとは異なり、ＩＰＴＶシステムは、インターネットコンテンツの電子番組ガイド（ＥＰＧ）を提供することができず、或いはこのようなガイドを、急速に変化するインターネットの番組製作を考慮できるほど十分に素早く更新することはできない。従って、ユーザは、所望のインターネット供給番組を見逃す可能性が高い。
【０００６】
さらに、所望のインターネット供給番組は、そもそも見つけるのが困難であり、ユーザ側でインターネットタイプの検索を行う必要がある。しかしながら、検索は、現在のコンテンツを特定するためにのみ有効であり、将来のコンテンツに対してはそうでない。
【課題を解決するための手段】
【０００７】
従って、ＣＥ装置が、ハウジングと、このハウジング上のディスプレイと、ネットワークインターフェイスと、ディスプレイを制御し、ネットワークインターフェイスを通じてインターネットと通信する、ハウジング内のプロセッサとを含む。プロセッサは、ディスプレイ上に表示されたユーザインターフェイス（ＵＩ）を介してユーザ設定及び／又はキーワードを受け取ること、及びネットワークインターフェイスを介して１又はそれ以上のコンテンツサーバと定期的に通信してオーディオビデオコンテンツの番組メタデータを取得することを含むロジックを実行する。さらに、このロジックは、コンテンツサーバから受け取った番組メタデータを、設定／キーワードを使用して検索することを含む。インターネット供給コンテンツの１つのメタデータと設定／キーワードとの間に一致が存在するとの判定に応答して、ロジックは、一致を示す視覚アラートをディスプレイ上に表示し、及び／又は可聴アラートをスピーカ上に提示して、設定及び／又はキーワードに一致する新たなコンテンツをＣＥ装置上での再生に利用できる旨をユーザに示す。
【０００８】
いくつかの実施形態では、ロジックが、インターネット供給コンテンツの１つのメタデータと設定／キーワードとの間に一致が存在するとの判定に応答して、一致することが判明した番組名を「最新のアラート」リスト上に追加し、この最新のアラートリストを、その呼び出し時にディスプレイ上に提示することを含む。
【０００９】
必要に応じて、ユーザが定めた満了期間の経過時、及び／又は削除するためのユーザコマンド時、及び／又は再生のためにリストからエントリが選択された時に、現在のリスト上のエントリを削除することができる。
【００１０】
ＣＥ装置は、メタデータにアクセスするためにコンテンツサーバとの通信を開始することができる。或いは、ＣＥ装置は、コンテンツを利用可能に更新したコンテンツサーバがＣＥ装置に新たなメタデータを通信するまで待機することができる。設定／キーワードをコンテンツサーバにアップロードし、このコンテンツサーバが検索及び照合ロジックを実行してその通知をＣＥ装置に戻すこともできる。
【００１１】
別の態様では、装置が、ハウジングと、このハウジング上のディスプレイと、スピーカと、ネットワークインターフェイスと、ディスプレイ及びスピーカを制御し、ネットワークインターフェイスを介してインターネットと通信する、ハウジング内のプロセッサとを含む。プロセッサは、ディスプレイ上にユーザ設定及び／又はキーワード入力ユーザインターフェイス（ＵＩ）を提示することと、ユーザ設定及び／又はキーワードの入力時には利用可能でなかった、これらのユーザ設定及び／又はキーワードを満たすコンテンツがインターネットサーバにおいて利用可能になったとの判定に応答して、コンテンツの利用可能性を示すアラートアイコンをディスプレイ上に提示することと、ディスプレイ上に提示するコンテンツを選択するために使用できる最新のアラートＵＩの呼び出しに応答して、コンテンツの名前を最新のリスト内にリストするＵＩをディスプレイ上に提示することとを含むロジックを実行する。最新のアラートＵＩの呼び出しに応答して、最新のリスト内にコンテンツ名をリストするＵＩがディスプレイ上に提示される。この最新のアラートＵＩは、ディスプレイ上に表示するコンテンツを選択するために使用することができる。
【００１２】
別の態様では、方法が、インターネット対応ＣＥ装置のユーザから所望のインターネット供給番組を記述する検索語を受け取るステップを含む。この方法は、少なくとも１つのインターネットソースをモニタして、所望の番組がいつ利用可能になるかを検出するステップ、及び所望の番組が検出されたとの判定に応答して、装置の画面上にアラートを提示するのに有用な、検出されたことを表す信号を生成するステップも含む。
【００１３】
同様の参照番号が同様の部分を示す図面を参照すれば、本発明の詳細をその構造及び動作の両方に関して最も良く理解することができる。
【図面の簡単な説明】
【００１４】
【図１】本原理によるシステム例のブロック図である。
【図２】本原理による別のシステム例のブロック図である。
【図３】インターネットからインターネットプロトコルＴＶ（ＩＰＴＶ）の視聴設定を入力するためのユーザインターフェイス（ＵＩ）例のスクリーンショットである。
【図４】コンテンツアラート例のスクリーンショットである。
【図５】最新のアラートＵＩのスクリーンショットである。
【図６】本原理によるロジック例のフローチャートである。
【発明を実施するための形態】
【００１５】
最初に図１を参照すると、ＴＶ、ゲーム機、ビデオディスクプレーヤ、カメラ、デジタルクロックラジオ、携帯電話機、携帯情報端末、ラップトップコンピュータなどの消費者向け電子（ＣＥ）装置１２が、デジタルプロセッサ１６を有する携帯型軽量プラスチックハウジング１４を含む。プロセッサ１６は、視覚ディスプレイ１８及び１又はそれ以上のスピーカなどの可聴ディスプレイ２０を制御することができる。
【００１６】
本原理を実施するために、プロセッサ１６は、以下に限定されるわけではないが、（ダイナミックランダムアクセスメモリ（ＤＲＡＭ）を実装するチップなどの）ＲＡＭベースの記憶装置２２又はフラッシュメモリ２４などの、１又はそれ以上のコンピュータ可読記憶媒体にアクセスすることができる。本原理を実施するために、図示のメモリの一方には、ＣＥ装置１２によって実行可能な本ロジックを実装するソフトウェアコードを記憶することができる。
【００１７】
プロセッサ１６は、キーパッド２６、遠隔制御装置２７、マウス、キーパッドなどのポイント及びクリックデバイスを含む様々な入力装置からユーザ入力信号を受け取ることができる。いくつかの実施構成では、特にＣＥ装置がＴＶによって、セットトップボックス、衛星受信機、ケーブルヘッドエンド、地上ＴＶ信号アンテナなどのソースからＴＶ信号を受け取るように具体化されている場合には、ＴＶチューナ２８を設けることができる。チューナ２８からの信号はプロセッサ１６に送信されて、ディスプレイ１８及びスピーカ２０上に提示される。
【００１８】
図１に示すように、有線又は無線モデム、或いは無線電話トランシーバなどのネットワークインターフェイス３０が、プロセッサ１６と通信して、インターネット上の管理サーバ３２及び１又はそれ以上のコンテンツサーバ３４への接続性を提供する。サーバ３２、３４は、それぞれのプロセッサ３２ａ、３４ａ及びそれぞれのコンピュータ可読記憶媒体３２ｂ、３４ｂを有する。以下の開示より、ＣＥ装置１２は、特にＴＶ又はゲーム機又はカメラなどの非ＰＣ装置によって実装される場合、管理サーバ３２によってプロセッサ１６に提供される受信者リスト上に載っている管理サーバ３２及びコンテンツサーバ３４としか通信することができず、このサービスリストは、プロセッサ１６によって修正することができないと理解されたい。いずれにせよ、コンテンツサーバ３４は、受信者リスト上に掲載されるためのＩＰＴＶシステムの参加者である。
【００１９】
図２にはＣＥ装置１２ａを示しており、この装置は、ネットワークインターフェイス３０ａが装置ハウジング１４ａ内に存在せず、代わりに装置ハウジング１４ａ上に装着できる別個のインターネットリンクモジュールハウジング３６内に支持されている点を除き、全ての基本的な点で図１に示す装置１２と同一である。
【００２０】
ここで図３〜図５を参照すると、実施形態例においてディスプレイ１８上に提示できる様々なスクリーンショットを示している。図３には、設定入力ユーザインターフェイス（ＵＩ）３８を示しており、このＵＩ３８は、は図示のようにカテゴリ入力フィールドを含むことができる。ユーザは、上述した入力装置の１つを操作して「スポーツ」などの所望のカテゴリのテキストを入力することができ、及び／又はカテゴリフィールドを単純にクリックして、図示のようにカテゴリのドロップダウンメニューが表示されるようにし、このメニューからカテゴリを選択することができる。
【００２１】
また、図示のように番組名フィールドを提供し、この中にユーザが「ヤンキースの試合」などの特定の番組名を入力することができる。さらに、キーワードフィールドを提供し、この中にユーザが「勝利」又は「ジータ  ホームラン」などのキーワードを入力して、その後の所望の番組の検索の幅をさらに狭めることができる。これらのユーザ設定入力は、上述した記憶装置の１つに保存される。
【００２２】
これらの設定に基づいて検索ロジックが実行され、ロジック例については以下でさらに説明する。図４には、インターネットソースから所望の番組が検出された時点でディスプレイ１８内に視覚アラートアイコン４０が提示されることを示している。スピーカ２０上には、ビープ音又はその他の可聴アラームなどの可聴アラートを提示して、インターネット上で所望の番組が検出されたことを示すことができる。図示の非限定的な例では、アラートアイコン４０が感嘆符であるが、例えば、画面底部などの近くに表示される検出された所望の番組のテキスト記述を含む他の視覚アラートを使用することもできる。
【００２３】
図５には、ユーザがアイコン４０をクリックしたこと、又はこの上にカーソルを動かしたことに応答して、ディスプレイ１８上に最新のアラートＵＩ４２を提示できることを示している。この最新のアラートＵＩ４２を別のＴＶメニューへ／からナビゲートすることもできる。いずれにせよ、この最新のアラートＵＩ４２は、図３のＵＩ３８を使用して入力した設定検索語に応答して検索されてコンテンツサーバ３４の１つにおいて発見された所望の番組をリストする。
【００２４】
必要に応じて、図５のＵＩ４２は、例えば、上述したユーザ入力装置の１つを使用してエントリを反転表示させ、「Ｙ」キー又は他の何らかの指定キーを押して、反転表示された１又は複数のアラートを削除すべき旨を示すことなどによってエントリを削除するための、ユーザが選択可能な選択肢を提示することもできる。ＵＩ４２は期限切れフィールドを含むこともでき、この中にユーザが、最新のアラートＵＩ４２内の検出された番組を保持する日数（又は時間、又は週など）を入力して、この期間後に、検出された番組がリストから削除されるようにすることができる。さらに、ＣＥ装置１２上に提示するために（クリックなどによって）選択した時点で番組をリストから自動的に削除することもできる。
【００２５】
ここで図６を参照すると、ブロック４４において、図３のＵＩ３８などを介してユーザ設定及び／又はキーワードを受け取る。ブロック４６は、ＣＥ装置１２が１又はそれ以上のコンテンツサーバ３４と定期的に通信して、番組コンテンツのメタデータを取得することを示している。いくつかの実施形態では、ＣＥ装置１２が通信を開始することができ（「プル」）、他の実施形態では、コンテンツサーバ３４が参加しているＩＰＴＶシステムを通じてコンテンツを利用可能に更新したコンテンツサーバ３４がＣＥ装置１２に新たなメタデータを通信するまで、ＣＥ装置１２が待機することができる（「プッシュ」）。
【００２６】
ブロック４８に進み、ＣＥ装置１２は、ブロック４４において受け取った設定／キーワードを使用して、コンテンツサーバから受け取った番組メタデータを検索する。或いは、コンテンツサーバ３４に設定／キーワードを提供し、このコンテンツサーバ３４が検索及び照合ロジックを実行してその通知をＣＥ装置１２に戻すこともできると理解されたい。
【００２７】
判定ブロック５０は、ブロック４８における検索の結果、ＣＥ装置１２が、インターネット供給コンテンツの１つのメタデータとブロック４４において受け取った設定／キーワードとの間に一致が存在するかどうかを判定することを示している。一致が存在する場合、ブロック５２において、図４のアイコン４０などのアラートがディスプレイ１８上に提示され、必要に応じて又はこれとは別にスピーカ２０上で可聴アラートが再生される。また、一致が存在する場合、ブロック５４において、図５に示す「最新のアラート」リストに、状態４８及び５０において発見されたあらゆる一致する番組名が追加される。ユーザがアイコン４０を選択した場合、図５のＵＩ４２を提示して、どのような所望の番組が発見され、再生の準備ができているかをより完全にユーザに理解させることができる。ブロック５６は、ユーザが定めた満了期間の経過時、及び／又は削除するためのユーザコマンド時、及び／又は再生のために図５のリストからエントリが選択された時に、アラート入力を削除できることを単純に示している。
【００２８】
「アラート」アイコン４０をクリックしてコンテンツを選択する代わりに、ＲＣ２７などに存在する（「エンター」キー又は「リターン」キーなどの）所定のキーを切り替えて、新たに利用可能になったインターネット供給コンテンツを再生のために選択することもできる。必要に応じて、オートフィル機能を提供し、設定の入力中に、ＣＥ装置１２が考えられる設定を提案し、又はユーザが入力した最初の２、３文字に基づいて設定フィールドを自動的に埋めるようにすることもできる。アイコン４０は、表示されてから所定の時間後に、ディスプレイ１８上の視界から削除されることが好ましい。また、ＣＥ装置１２は、個別のユーザログインを可能にすることもでき、この場合、特定ユーザの設定／キーワードに基づく検索結果が、他のユーザに関連するものとは別個に保持される。この実施形態では、図５のＵＩ４２が、最後にログインした現在のユーザと考えられる特定のユーザに見合った番組のみを提示する。
【００２９】
本明細書では、特定の「インターネット対応ＴＶの利用可能性に関するコンテンツアラート」を図示し詳細に説明したが、本発明に含まれる発明主題は、特許請求の範囲によってのみ限定されると理解されたい。
【符号の説明】
【００３０】
１２  ＣＥ装置
１４  装置ハウジング
１６  プロセッサ
１８  ビデオディスプレイ
２０  （単複の）スピーカ
２２  ランダムアクセスメモリ
２４  フラッシュ
２６  ユーザ入力装置
２７  遠隔制御装置
２８  ＴＶチューナ
３０  ネットワークインターフェイス
３２  管理サーバ
３２ａ  プロセッサ
３２ｂ  コンピュータ可読記憶媒体
３４  コンテンツサーバ
３４ａ  プロセッサ
３２ｂ  コンピュータ可読記憶媒体
【図１】
0005556958.tif 000002
【図２】
0005556958.tif 000003
【図３】
0005556958.tif 000004
【図４】
0005556958.tif 000005
【図５】
0005556958.tif 000006
【図６】
0005556958.tif 000007